(57)【要約】【課題】凝縮器用フィルターの清掃を手間をかけず簡単かつ迅速に行うことができる冷凍機内蔵型ショーケースを提供することである。【解決手段】  凝縮器と外装グリルとの間に凝縮器用フィルター１２が配置され、外装グリルと凝縮器用フィルター１２の間に左右方向スライド可能であってスライド時に撓んだ状態で凝縮器用フィルター１２に当たる複数のブラシ毛を有する清掃ブラシ１６を有する。凝縮器用フィルター１２に塵埃が付着した場合、清掃ブラシ１６を左右方向へスライドさせることにより凝縮器用フィルター１２に付着している塵埃が清掃ブラシ１６のブラシ毛に付着し、凝縮器用フィルター１２から除去される。【選択図】図３
2019039573.tif 000002
【特許請求の範囲】
【請求項１】
内部に商品陳列室を有するショーケース本体と、
前記ショーケース本体の下部に配置され、冷凍機ユニットの一部である少なくとも凝縮器とファンとを収容する架台と、
前記架台の正面に配置され、複数の通気孔を有する外装グリルと、
前記凝縮器と前記外装グリルとの間に配置される凝縮器用フィルターと、
前記外装グリルと前記凝縮器用フィルターの間に左右方向スライド可能に配置され、スライド時に撓んだ状態で前記凝縮器用フィルターに当たる複数のブラシ毛を有してこれらのブラシ毛により前記凝縮器用フィルターに付着した塵埃を除去する清掃ブラシと、
を有することを特徴とする冷凍機内蔵型ショーケース。
【請求項２】
前記凝縮器用フィルターの少なくとも左右方向の一端側に設けられ、スライドする前記清掃ブラシの前記ブラシ毛が当たることによりこのブラシ毛に付着している塵埃を掻き落とすための掻き落とし部を有することを特徴とする請求項１記載の冷凍機内蔵型ショーケース。
【請求項３】
前記外装グリルに横長のスリットが形成され、前記清掃ブラシに取手部が設けられ、前記取手部は前記スリットに挿通されて先端部が前記外装グリルの正面側に延出していることを特徴とする請求項１又は２記載の冷凍機内蔵型ショーケース。
【請求項４】
前記凝縮器用フィルターは、平板に複数のパンチング孔が形成されていることを特徴とする請求項１ないし３のいずれか一項に記載の冷凍機内蔵型ショーケース。
【請求項５】
前記掻き落とし部は、前記凝縮器用フィルターに形成された開口部と、この開口部の左右方向の少なくとも一方の縁部に形成された鋸歯状の凹凸部とを有することを特徴とする請求項１ないし４のいずれか一項に記載の冷凍機内蔵型ショーケース。
【請求項６】
前記清掃ブラシにより前記凝縮器用フィルターから除去された塵埃を捕集する捕集装置を有することを特徴とする請求項１ないし５のいずれか一項に記載の冷凍機内蔵型ショーケース。
【発明の詳細な説明】
【技術分野】
【０００１】
本発明は、冷凍機ユニットの一部である少なくとも凝縮器とファンとを収容する架台を備えた冷凍機内蔵型ショーケースに関する。
【背景技術】
【０００２】
従来、スーパーマーケットやコンビニエンスストア等の店舗内に設置されている冷蔵、冷凍ショーケースとしては、商品陳列室を有するショーケース本体とその下部に配置される架台とを有し、架台内に冷凍機ユニットの一部である少なくとも凝縮器とファンとを収容した冷凍機内蔵型ショーケースが知られている。冷凍機内蔵型ショーケースでは、ファンを駆動して店舗内の空気を架台内に吸い込み、吸い込んだ空気を凝縮器に当てることにより凝縮器内での冷媒の凝縮を促進している。
【０００３】
このような冷凍機内蔵型ショーケースの一例としては、下記特許文献１に記載されたものが知られている。
【０００４】
特許文献１に記載された冷凍機内蔵型ショーケースでは、凝縮器を収容した架台の正面に複数の通気孔が形成された通気孔カバーが取付けられている。この通気孔カバーの内側に凝縮器用フィルターが取付けられ、この凝縮器用フィルターは上下方向へスライド可能、及び、上方へスライドさせることにより通気孔カバーから取外し可能とされている。
【０００５】
ここで、ファンを駆動させることにより店舗内の空気が通気孔カバーの通気孔を通って架台内に吸込まれ、吸い込まれた空気が凝縮器に当たることにより凝縮器内での冷媒の凝縮が促進される。そして、架台内に吸い込まれる空気中に含まれている塵埃は、凝縮器用フィルターに付着して除去され、凝縮器への塵埃の付着が防止されている。
【０００６】
凝縮器用フィルターに塵埃が付着すると、塵埃の付着量の増加に伴って架台内に吸い込まれる空気量が減少するとともに凝縮器に当たる空気量が減少し、冷凍機ユニットの冷凍性能が低下する。そのため、凝縮器用フィルターに一定量の塵埃が付着した場合には、凝縮器用フィルターを清掃して冷凍機ユニットの冷凍性能を回復させることが必要である。凝縮器用フィルターの清掃は、凝縮器用フィルターを上方へスライドさせて通気孔カバーから取外し、取外した凝縮器用フィルターを洗浄したり掃除機で吸引したりして行っている。
【先行技術文献】
【特許文献】
【０００７】
【特許文献１】特開２０１６−１０９３９０号公報
【発明の概要】
【発明が解決しようとする課題】
【０００８】
しかしながら、特許文献１に記載された冷凍機内蔵型ショーケースでは、凝縮器用フィルターを清掃する場合において、凝縮器用フィルターを通気孔カバーから取外さなければならず、その取外し作業、及び、取外した後の清掃作業に手間がかかっている。
【０００９】
本発明は、このような課題を解決するためになされたものであり、その目的は、凝縮器用フィルターの清掃を手間をかけず簡単かつ迅速に行うことができる冷凍機内蔵型ショーケースを提供することである。
【課題を解決するための手段】
【００１０】
本発明に係る冷凍機内蔵型ショーケースは、内部に商品陳列室を有するショーケース本体と、前記ショーケース本体の下部に配置され、冷凍機ユニットの一部である少なくとも凝縮器とファンとを収容する架台と、前記架台の正面に配置され、複数の通気孔を有する外装グリルと、前記凝縮器と前記外装グリルとの間に配置される凝縮器用フィルターと、前記外装グリルと前記凝縮器用フィルターの間に左右方向スライド可能に配置され、スライド時に撓んだ状態で前記凝縮器用フィルターに当たる複数のブラシ毛を有してこれらのブラシ毛により前記凝縮器用フィルターに付着した塵埃を除去する清掃ブラシと、を有する。
【００１１】
また、前記凝縮器用フィルターの少なくとも左右方向の一端側に設けられ、スライドする前記清掃ブラシの前記ブラシ毛が当たることによりこのブラシ毛に付着している塵埃を掻き落とすための掻き落とし部を有することが望ましい。
【００１２】
また、前述の冷凍機内蔵型ショーケースにおいて、前記外装グリルに横長のスリットが形成され、前記清掃ブラシに取手部が設けられ、前記取手部が前記スリットに挿通されて先端部が前記外装グリルの正面側に延出していることが望ましい。
【００１３】
また、前述の冷凍機内蔵型ショーケースにおいて、前記凝縮器用フィルターは、平板に複数のパンチング孔が形成されていることが望ましい。
【００１４】
また、前述の冷凍機内蔵型ショーケースにおいて、前記掻き落とし部は、前記凝縮器用フィルターに形成された開口部と、この開口部の左右方向の少なくとも一方の縁部に形成された鋸歯状の凹凸部とを有することが望ましい。
【００１５】
また、前述の冷凍機内蔵型ショーケースにおいて、前記清掃ブラシにより前記凝縮器用フィルターから除去された塵埃を捕集する捕集装置を有することが望ましい。
【発明の効果】
【００１６】
本発明に係る冷凍機内蔵型ショーケースでは、凝縮器用フィルターに塵埃が付着した場合、清掃ブラシを左右方向へスライドさせることにより、凝縮器用フィルターに付着している塵埃を清掃ブラシのブラシ毛に付着し、凝縮器用フィルターから塵埃が除去される。
【００１７】
また、左右方向にスライドする清掃ブラシのブラシ毛が掻き落とし部に当たることにより、ブラシ毛に付着している塵埃が清掃ブラシから掻き落とされる。
【００１８】
また、清掃ブラシを左右方向へスライドさせる場合には、外装グリルに形成されているスリットに挿通されて先端部が外装グリルの正面側に延出している取手部を把持し、把持した取手部を左右方向にスライドさせればよく、外装グリルを取外すことなく凝縮器用フィルターの清掃を行える。
【００１９】
また、凝縮器用フィルターは、平板に複数のパンチング孔が形成されているものであるため表面が平滑であり、清掃ブラシをスライドさせて凝縮器用フィルターから塵埃を除去する場合、その除去を円滑に行える。
【００２０】
また、掻き落とし部は、凝縮器用フィルターに形成された開口部と、この開口部の左右方向の少なくとも一方の縁部に形成された鋸歯状の凹凸部とを有するので、清掃ブラシを左右方向にスライドさせることにより、撓んだ状態で凝縮器用フィルターに当たっているブラシ毛が開口部に入ってブラシ毛の撓みが解消された場合、及び、撓みが解消されたブラシ毛が凹凸部に当たった場合に、ブラシ毛に付着している塵埃がブラシ毛から掻き落とされる。
【００２１】
凝縮器用フィルターから除去された塵埃を捕集する捕集装置を有するので、凝縮器用フィルターから除去された塵埃が床面上に落下して再び凝縮器用フィルターに付着するという事態の発生を防止することができる。
【図面の簡単な説明】
【００２２】
【図１】冷凍機内蔵型ショーケースを示す正面図である。
【図２】冷凍機内蔵型ショーケースを示す断面側面図である。
【図３】凝縮器用フィルターと清掃ブラシとを示す正面図である。
【図４】捕集装置を示す斜視図である。
【発明を実施するための形態】
【００２３】
本発明の一実施形態について、図面に基づいて説明する。図１はスーパーマーケットやコンビニエンスストア等の店舗内に設置される冷凍機内蔵型ショーケース１を示す正面図であり、図２はその断面側面図である。この冷凍機内蔵型ショーケース１は、ショーケース本体２とショーケース本体２の下部に配置された架台３とを有し、架台３の上にショーケース本体２が載置されている。
【００２４】
ショーケース本体２の内部には図２に示すように商品陳列室４が設けられ、商品陳列室４内には冷凍商品や冷蔵商品が陳列されるようになっている。
【００２５】
架台３の内部には、図２に示すように、冷凍機ユニットを構成する凝縮器５と、ファン６と、圧縮機７とが収容されている。圧縮機７内では冷媒が圧縮され、凝縮器５内では冷媒が凝縮され、ファン６が駆動されることにより店舗内の空気が架台３内に吸い込まれる。架台３の正面には外装グリル８が配置され、外装グリル８には、ファン６の駆動時に店舗内の空気を架台３内に吸込むための複数の通気孔９と、横長のスリット１０と、左右両端側に位置する一対の取出し孔１１とが形成されている。なお、通気孔９は、店舗内の床面上の塵埃を吸込み難くするため、床面から離れた位置に形成されている。
【００２６】
また、架台３の内部であって凝縮器５と外装グリル８との間には、凝縮器用フィルター１２が配置されている。凝縮器用フィルター１２は、通気孔９から架台３内に吸い込まれた空気中に含まれている塵埃を除去するための部材であり、図３に示すように、平板である金属板１３に複数の丸形のパンチング孔１４を形成することにより構成され、空気中に含まれる塵埃をパンチング孔１４に引っ掛けることにより除去している。そして、金属板１３にパンチング孔１４を形成した凝縮器用フィルター１２は表面が平滑であるため、清掃ブラシ１６を左右方向にスライドさせてパンチング孔１４に引っ掛かっている塵埃（凝縮器用フィルター１２に付着している塵埃）を除去する場合、除去しやすい構成となっている。なお、外装グリル８と凝縮器用フィルター１２との間隔は、通風抵抗を小さくするために大きくすることが望ましい。
【００２７】
また、金属板１３の左右両端側には、外装グリル８に形成された取出し孔１１と前後方向で重なる位置に、一対の取出し孔１５が形成されている。
【００２８】
外装グリル８と凝縮器用フィルター１２との間には、左右方向スライド可能に清掃ブラシ１６が設けられている。この清掃ブラシ１６は、凝縮器用フィルター１２の金属板１３の上部と下部とに左右方向に延びるように折曲形成されたスライドレール１７に嵌合され、このスライドレール１７に沿って左右方向にスライド可能とされている。
【００２９】
清掃ブラシ１６は、複数のブラシ毛１６ａとこれらのブラシ毛１６ａが植毛されたブラシ本体１６ｂとから構成され、清掃ブラシ１６が左右方向にスライドする場合にブラシ毛１６ａが撓んだ状態で凝縮器用フィルター１２に当たり、凝縮器用フィルター１２に付着している塵埃を除去するようになっている。
【００３０】
ブラシ本体１６ｂには、清掃ブラシ１６を左右方向にスライドさせる場合に杷持する取手部１６ｃが設けられており、この取手部１６ｃは外装グリル８に形成されたスリット１０を挿通し先端部が外装グリル８の正面側に延出している。
【００３１】
凝縮器用フィルター１２の左右両端側には、図３に示すように掻き落とし部１８が設けられている。この掻き落とし部１８は、清掃ブラシ１６のブラシ毛１６ａに付着している塵埃をブラシ毛１６ａから掻き落とす部分であり、凝縮器用フィルター１２の金属板１３に形成された開口部１８ａと、この開口部１８ａの縁部に形成された鋸歯状の凹凸部１８ｂとを有している。左右方向にスライドした清掃ブラシ１６が開口部１８ａに対向した場合、ブラシ毛１６ａは撓み状態を解消されて直立状態となる。
【００３２】
また、凝縮器用フィルター１２の左右両端側の裏面側（凝縮器５側）には、捕集装置１９が設けられている。この捕集装置１９は、図４に示すように、一面が開口されたケース１９ａと、ケース１９ａ内の下端側にスライド可能に設けられた引出し１９ｂとからなり、ケース１９ａの開口側が金属板１３に固定されている。なお、引出１９ｂは、開口部１８ａの下端より下方に配置され、さらに、金属板１３の取出し孔１５と外装グリル８の取出し孔１１とに対向する位置に配置され、これらの取出し孔１５、１１から外装グリル８の正面側へ取り出し可能とされている。引出し１９ｂの正面部分には、この引出し１９ｂを引っ張るための取手部１９ｃが設けられている。
【００３３】
このような構成において、この冷凍機内蔵型ショーケース１では、ファン６が駆動されることにより店舗内の空気が外装グリル８に形成された通気孔９を通して架台３内に吸い込まれ、架台３内に吸い込まれた空気は凝縮器用フィルター１２を通過することによりその空気中に含まれている塵埃が除去され、塵埃を除去された空気が凝縮器５に当たることにより凝縮器５内での冷媒の凝縮が促進される。空気中から除去された塵埃は、凝縮器用フィルター１２に付着する。
【００３４】
凝縮器用フィルター１２に付着した塵埃の量が増えると、空気が凝縮器用フィルター１２を通過し難くなり、凝縮器５に当たる空気量が減少して凝縮器５内での冷媒の凝縮性能が低下する。そこで、凝縮器用フィルター１２に一定量以上の塵埃が付着した場合には、付着した塵埃を除去する清掃作業を行う必要がある。
【００３５】
凝縮器用フィルター１２の清掃作業時には、取手部１６ｃを把持してスリット１０に沿って左右方向にスライドさせる。取手部１６ｃをスライドさせると、取手部１６ｃと一体に清掃ブラシ１６が左右方向にスライドし、清掃ブラシ１６のブラシ毛１６ａが撓んだ状態で凝縮器用フィルター１２の金属板１３の表面であってパンチング孔１４が形成されている領域に当たる。
【００３６】
ブラシ毛１６ａが撓んだ状態で金属板１３の表面のパンチング孔１４が形成されている領域に当たることにより、凝縮器用フィルター１２に付着している塵埃が清掃ブラシ１６のブラシ毛１６ａに付着し、凝縮器用フィルター１２から塵埃が除去される。従って、凝縮器用フィルター１２に付着した塵埃の除去を、凝縮器用フィルター１２を架台３から取外すことなく、清掃ブラシ１６を左右方向にスライドさせるという簡単な操作により、手間と時間とをかけずに容易に行える。従って、２４時間営業の店舗であっても、凝縮器用フィルター１２の清掃を、お客に迷惑をかけることなく必要に応じて適宜行える。
【００３７】
凝縮器用フィルター１２は、金属板１３にパンチング孔１４を形成した表面が平滑な構成であり、この構成は、一部がパンチング孔１４に引っ掛かって凝縮器用フィルター１２に付着している塵埃を除去しやすい構成であるので、凝縮器用フィルター１２に付着している塵埃の除去を清掃ブラシ１６を用いて容易に行える。なお、この凝縮器用フィルター１２は金属板１３を用いて形成されているが、金属板以外の平板、例えば樹脂製の平板を用いてもよい。また、パンチング孔１４の形状は丸形以外の形状でもよく、例えば角形であってもよい。
【００３８】
ブラシ毛１６ａを撓ませた状態で清掃ブラシ１６がスライドすることにより、凝縮器用フィルター１２に付着している塵埃がブラシ毛１６ａに付着し、凝縮器用フィルター１２から塵埃が除去される。そして、左右方向にスライドする清掃ブラシ１６が開口部１８ａに対向する位置にスライドし、撓んだ状態のブラシ毛１６ａが直立状態に戻った場合、及び、清掃ブラシ１６が再びスライドして直立状態に戻っていたブラシ毛１６ａが鋸歯状の凹凸部１８ｂにぶつかった場合に、ブラシ毛１６ａに付着している塵埃がブラシ毛１６ａから掻き落とされる。ブラシ毛１６ａから掻き落とされた塵埃は捕集装置１９の引出し１９ｂ内に堆積される。
【００３９】
引出し１９ｂ内に一定量の塵埃が堆積した場合には、取手部１９ｃを把持して引出し１９ｂを引っ張り、引出し孔１５、１１を通して捕集装置１９から取り出し、堆積している塵埃を廃棄する。従って、捕集装置１９で捕集した塵埃の処理を、外装グリル８を取外すことなく容易に行える。
【符号の説明】
【００４０】
１      冷凍機内蔵型ショーケース
２      ショーケース本体
３      架台
４      商品陳列室
５      凝縮器
６      ファン
７      圧縮機
８      外装グリル
９      通気孔
１０      スリット
１１      引出し孔
１２      凝縮器用フィルタ
１３      金属板（平板）
１４      パンチング孔
１５      引出し孔
１６      清掃ブラシ
１６ａ    ブラシ毛
１６ｂ    ブラシ本体
１６ｃ    取手部
１７      スライドレール
１８      掻き落とし部
１８ａ    開口部
１８ｂ    凹凸部
１９      捕集装置
１９ａ    ケース
１９ｂ    引出し
１９ｃ    取手部
【図１】
2019039573.tif 000003
【図２】
2019039573.tif 000004
【図３】
2019039573.tif 000005
【図４】
2019039573.tif 000006
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
内部に商品陳列室を有するショーケース本体と、
前記ショーケース本体の下部に配置され、冷凍機ユニットの一部である少なくとも凝縮器とファンとを収容する架台と、
前記架台の正面に配置され、複数の通気孔を有する外装グリルと、
前記凝縮器と前記外装グリルとの間に配置される凝縮器用フィルターと、
前記外装グリルと前記凝縮器用フィルターの間に左右方向スライド可能に配置され、スライド時に撓んだ状態で前記凝縮器用フィルターに当たる複数のブラシ毛を有してこれらのブラシ毛により前記凝縮器用フィルターに付着した塵埃を除去する清掃ブラシと、
前記凝縮器用フィルターの少なくとも左右方向の一端側に設けられ、スライドする前記清掃ブラシの前記ブラシ毛が当たることによりこのブラシ毛に付着している塵埃を掻き落とすための掻き落とし部と、
を有し、
前記掻き落とし部は、前記凝縮器用フィルターに形成された開口部と、この開口部の左右方向の少なくとも一方の縁部に形成された鋸歯状の凹凸部とを有することを特徴とする冷凍機内蔵型ショーケース。
【請求項２】
前記外装グリルに横長のスリットが形成され、前記清掃ブラシに取手部が設けられ、前記取手部は前記スリットに挿通されて先端部が前記外装グリルの正面側に延出していることを特徴とする請求項１記載の冷凍機内蔵型ショーケース。
【請求項３】
前記凝縮器用フィルターは、平板に複数のパンチング孔が形成されていることを特徴とする請求項１又は２記載の冷凍機内蔵型ショーケース。
【請求項４】
前記清掃ブラシにより前記凝縮器用フィルターから除去された塵埃を捕集する捕集装置を有することを特徴とする請求項１ないし３のいずれか一項に記載の冷凍機内蔵型ショーケース。
【手続補正２】
【補正対象書類名】明細書
【補正対象項目名】００１０
【補正方法】変更
【補正の内容】
【００１０】
本発明に係る冷凍機内蔵型ショーケースは、内部に商品陳列室を有するショーケース本体と、前記ショーケース本体の下部に配置され、冷凍機ユニットの一部である少なくとも凝縮器とファンとを収容する架台と、前記架台の正面に配置され、複数の通気孔を有する外装グリルと、前記凝縮器と前記外装グリルとの間に配置される凝縮器用フィルターと、前記外装グリルと前記凝縮器用フィルターの間に左右方向スライド可能に配置され、スライド時に撓んだ状態で前記凝縮器用フィルターに当たる複数のブラシ毛を有してこれらのブラシ毛により前記凝縮器用フィルターに付着した塵埃を除去する清掃ブラシと、前記凝縮器用フィルターの少なくとも左右方向の一端側に設けられ、スライドする前記清掃ブラシの前記ブラシ毛が当たることによりこのブラシ毛に付着している塵埃を掻き落とすための掻き落とし部と、を有し、前記掻き落とし部は、前記凝縮器用フィルターに形成された開口部と、この開口部の左右方向の少なくとも一方の縁部に形成された鋸歯状の凹凸部とを有する。
【手続補正３】
【補正対象書類名】明細書
【補正対象項目名】００１１
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１６
【補正方法】変更
【補正の内容】
【００１６】
本発明に係る冷凍機内蔵型ショーケースでは、凝縮器用フィルターに塵埃が付着した場合、清掃ブラシを左右方向へスライドさせることにより、凝縮器用フィルターに付着している塵埃を清掃ブラシのブラシ毛に付着し、凝縮器用フィルターから塵埃が除去される。また、左右方向にスライドする清掃ブラシのブラシ毛が掻き落とし部に当たることにより、ブラシ毛に付着している塵埃が清掃ブラシから掻き落とされる。また、凝縮器用フィルターは、平板に複数のパンチング孔が形成されているものであるため表面が平滑であり、清掃ブラシをスライドさせて凝縮器用フィルターから塵埃を除去する場合、その除去を円滑に行える。また、掻き落とし部は、凝縮器用フィルターに形成された開口部と、この開口部の左右方向の少なくとも一方の縁部に形成された鋸歯状の凹凸部とを有するので、清掃ブラシを左右方向にスライドさせることにより、撓んだ状態で凝縮器用フィルターに当たっているブラシ毛が開口部に入ってブラシ毛の撓みが解消された場合、及び、撓みが解消されたブラシ毛が凹凸部に当たった場合に、ブラシ毛に付着している塵埃がブラシ毛から掻き落とされる。
【手続補正６】
【補正対象書類名】明細書
【補正対象項目名】００１７
【補正方法】削除
【補正の内容】
【手続補正７】
【補正対象書類名】明細書
【補正対象項目名】００２０
【補正方法】削除
【補正の内容】